(57)【要約】【課題】各医療者の作業場所や移動方向がリアルタイムで、一目で分かるようにした医療者の行先表示システムを提供する。【解決手段】実施形態の医療者の行先表示システムは、各医療者に携行され、少なくとも予め設定されている識別番号を所定間隔毎に送信する無線通信媒体と、少なくとも通路や各病室内の多角形状の３箇所に設置された中継器によって、前記無線通信媒体からの前記識別番号を所定間隔毎に受信して、ホスト計算機に送信する中継手段と、行先表示画面をリアルタイム表示する表示端末と、前記ホスト計算機に設けられ、予め定められた病棟内のレイアウトの前記中継手段で受信した受信信号から算出した所在位置に、予め登録された医療者テーブルを参照して得られる前記識別番号に対応する医療者を示すように、少なくとも方位を示す行先表示情報を作成して前記表示端末に表示する行先検出表示手段と、を有する。【選択図】  図１
2015026882.tif 000002
【特許請求の範囲】
【請求項１】
各医療者に携行され、少なくとも予め設定されている識別番号を所定間隔毎に送信する無線通信媒体と、
少なくとも通路や各病室内の多角形状の３箇所に設置された中継器によって、前記無線通信媒体からの前記識別番号を所定間隔毎に受信して、ホスト計算機に送信する中継手段と、
行先表示画面をリアルタイム表示する表示端末と、
前記ホスト計算機に設けられ、予め定められた病棟内のレイアウトの前記中継手段で受信した受信信号から算出した所在位置に、予め登録された医療者テーブルを参照して得られる前記識別番号に対応する医療者を示すように、少なくとも方位を示す行先表示情報を作成して前記表示端末に表示する行先検出表示手段と、
を有することを特徴とする医療者の行先表示システム。
【請求項２】
各医療者に携行され、少なくとも方位情報を送信する識別番号で管理されている無線通信媒体と、
少なくとも通路や各病室内のベッド毎に設置された中継器によって、前記無線通信媒体からの情報を所定間隔毎に受信して、所在位置となる中継器番号を付加した情報をホスト計算機に送信する中継手段と、
行先表示画面をリアルタイム表示する表示端末と、
前記ホスト計算機に設けられ、予め定められた病棟内のレイアウトの前記中継器番号に応じた所在位置に、予め登録された医療者テーブルを参照して得られる前記識別番号に対応する医療者を示すように、少なくとも方位を示す行先表示情報を作成して前記表示端末に表示する行先検出表示手段と、
を有することを特徴とする医療者の行先表示システム。
【請求項３】
各医療者に携行され、少なくとも位置情報、方位情報および動作情報を送信することが可能な識別番号で管理されている携帯端末と、
病棟内の必要箇所に設置された双方向の中継器によって、前記携帯端末からの情報を所定間隔毎にホスト計算機に送信する中継手段と、
行先表示画面をリアルタイム表示する表示端末と、
前記ホスト計算機に設けられ、予め定められた病棟内のレイアウトの前記位置情報に応じた所在位置に、予め登録された医療者テーブルを参照して得られる前記識別番号に対応する医療者を示すように、少なくとも前記方位情報を含む行先表示情報を作成して前記携帯端末および前記表示端末に表示する行先検出表示手段と、
を有することを特徴とする医療者の行先表示システム。
【請求項４】
前記行先表示画面は、前記医療者を識別し、前記レイアウト内の位置と方位又は動作を同時に表示するブロックによって行先が表示されていることを特徴とする請求項１乃至３のいずれか１項に記載の医療者の行先表示システム。
【請求項５】
前記行先表示画面は、前記医療者の所属グループ毎に前記ブロックが色分けされていることを特徴とする請求項４に記載の医療者の行先表示システム。
【請求項６】
前記医療者テーブルには、前記行先表示画面への表示／非表示が設定できることを特徴とする請求項１乃至３のいずれか１項に記載の医療者の行先表示システム。
【請求項７】
前記医療者が病室内の同じベッド付近での停留時間の計数を行う行先サーチ記録テーブルを更に有し、
前記行先検出表示手段は、前記停留時間が第１設定時間を越えた場合は当該医療者の行先表示に注意を促す第１表示を行い、前記停留時間が前記第１設定時間より大きい第２設定時間を越えた場合は当該医療者の行先表示に異常を促す第２表示を行うことを特徴とする請求項１乃至３のいずれか１項に記載の医療者の行先表示システム。
【請求項８】
前記行先検出表示手段は、特定の医療者を指示する入力を受けた場合、前記表示端末又は前記携帯端末の前記行先表示画面上に、当該医療者の居場所を特定するマーク又は点滅表示することを特徴とする請求項１乃至３のいずれか１項に記載の医療者の行先表示システム。
【請求項９】
各医療者に携行され、識別番号によって管理される携帯端末であって、
位置情報および方位情報を出力するセンサと、
移動又は停止の動作情報を出力する動作センサと、
前記位置情報、前記方位情報、および前記動作情報に識別番号を付与した情報を所定間隔毎に近接する送受信器を経由してホスト計算機に送信する通信手段と、
前記各情報と予め登録される医療者テーブルおよび病室レイアウトの情報とを基に前記ホスト計算機によって作成された前記医療者の位置と方位又は動作を示す行先表示情報を前記通信手段を経由して受信し、画面に行先表示する制御部と、
を有することを特徴とする医療者の行先表示端末。
【発明の詳細な説明】
【技術分野】
【０００１】
本発明は、医療者の行先表示システム、医療者の行先表示端末に関する。
【背景技術】
【０００２】
各種病院や医療センターなどの病棟内では、多数のスタッフ（主に看護職員）が医療業務に従事している。そして、例えば入院患者などで何かの異変があった時に、その異変に対処できるベテランの看護師が近くに居ないと、その看護師を至急に探すことがある。一般に、一個人の所在（例えば業務上の伝達が必要な場合など）を特定し、本人に直接アクセスする方法として（ａ）院内電話での呼出し、（ｂ）病棟内を探し回る、（ｃ）大声で叫ぶ、などの処置が行われている。しかしながら、（ｂ）（ｃ）の方法は効率が悪く、（ａ）の方法は周辺の状況に配慮しないため、入院患者に不安を与えるばかりか業務の妨げになる場合も多い。
【０００３】
また、医者や看護師など職員が所持しているＰＨＳ子機に、衛星からのＧＰＳ信号と屋内ＧＰＳ信号とをともに受信する機能を有するハードウェア回路を付加することによって、病院内における職員の位置を把握することなどが実施されている。
【先行技術文献】
【特許文献】
【０００４】
【特許文献１】特開平  １１−２２０５３４号公報
【特許文献２】特開２００１−２６８２３３号公報
【特許文献３】特開２００７−１０２３９２号公報
【特許文献４】特開２０１１−１４５８７３号公報
【発明の概要】
【発明が解決しようとする課題】
【０００５】
しかしながら、従来の技術では、単に名前と居場所を示したマトリックス表によって行先を表示するものであった。従って、それを応用しても、病院内における職員の場所を把握することができるだけで、病棟内に勤務するスタッフの情報や移動状態などを考慮した案内システムを行うものはなかった。したがって、看護作業の状況を把握するものでもなく、看護支援の協力者を探すものなどにも役立つものではなかった。
【０００６】
そこで、本発明が解決しようとする課題は、医療者の移動方向や動作などを医療者毎にリアルタイムに更新・表示することのできる医療者の行先表示システム、医療者の行先表示端末を提供することを目的とする。
【課題を解決するための手段】
【０００７】
本発明の実施形態に係る医療者の行先表示システムは、各医療者に携行され、少なくとも予め設定されている識別番号を所定間隔毎に送信する無線通信媒体と、少なくとも通路や各病室内の多角形状の３箇所に設置された中継器によって、前記無線通信媒体からの前記識別番号を所定間隔毎に受信して、ホスト計算機に送信する中継手段と、行先表示画面をリアルタイム表示する表示端末と、前記ホスト計算機に設けられ、予め定められた病棟内のレイアウトの前記中継手段で受信した受信信号から算出した所在位置に、予め登録された医療者テーブルを参照して得られる前記識別番号に対応する医療者を示すように、少なくとも方位を示す行先表示情報を作成して前記表示端末に表示する行先検出表示手段と、を有することを特徴とする。
【０００８】
また実施形態に係る医療者の行先表示システムは、各医療者に携行され、少なくとも方位情報を送信する識別番号で管理されている無線通信媒体と、少なくとも通路や各病室内のベッド毎に設置された中継器によって、前記無線通信媒体からの情報を所定間隔毎に受信して、所在位置となる中継器番号を付加した情報をホスト計算機に送信する中継手段と、行先表示画面をリアルタイム表示する表示端末と、前記ホスト計算機に設けられ、予め定められた病棟内のレイアウトの前記中継器番号に応じた所在位置に、予め登録された医療者テーブルを参照して得られる前記識別番号に対応する医療者を示すように、少なくとも方位を示す行先表示情報を作成して前記表示端末に表示する行先検出表示手段と、を有することを特徴とする。
【０００９】
また実施形態に係る医療者の行先表示システムは、各医療者に携行され、少なくとも位置情報、方位情報および動作情報を送信することが可能な識別番号で管理されている携帯端末と、病棟内の必要箇所に設置された双方向の中継器によって、前記携帯端末からの情報を所定間隔毎にホスト計算機に送信する中継手段と、行先表示画面をリアルタイム表示する表示端末と、前記ホスト計算機に設けられ、予め定められた病棟内のレイアウトの前記位置情報に応じた所在位置に、予め登録された医療者テーブルを参照して得られる前記識別番号に対応する医療者を示すように、少なくとも前記方位情報を含む行先表示情報を作成して前記携帯端末および前記表示端末に表示する行先検出表示手段と、を有することを特徴とする。
【００１０】
また実施形態に係る医療者の行先表示端末は、各医療者に携行され、識別番号によって管理される携帯端末であって、位置情報および方位情報を出力するセンサと、移動又は停止の動作情報を出力する動作センサと、前記位置情報、前記方位情報、および前記動作情報に識別番号を付与した情報を所定間隔毎に近接する送受信器を経由してホスト計算機に送信する通信手段と、前記各情報と予め登録される医療者テーブルおよび病室レイアウトの情報とを基に前記ホスト計算機によって作成された前記医療者の位置と方位又は動作を示す行先表示情報を前記通信手段を経由して受信し、画面に行先表示する制御部と、を有することを特徴とする。
【発明の効果】
【００１１】
実施形態によれば、医療管理者などに対し、簡単な構成で医療者の行先を詳細に表示することができ、更に付加機能によって患者に不安や負担を与えることなく看護連携がスムーズに行える。また携帯端末を活用することにより、移動場所からでも医療者の行先を確認することができる。また、看護作業の異常状態の把握や、看護支援の協力者を探すものにも役立てることができる。
【図面の簡単な説明】
【００１２】
【図１】第１実施形態に係る医療者の行先表示システムの構成を示すブロック図である。
【図２】第１実施形態に係る無線通信媒体の取り付け例を示す図である。
【図３】管理者によって行先を管理する行先表示エリアと、そのエリア内の病棟内および病室内に設置される送信器の配置を示す図である。
【図４】ホスト計算機の医療者テーブルに格納される医療者データの一例を示す図である。
【図５】管理者によって行先を管理する行先表示エリア中に医療者の行先表示をブロック（マーク）表示した一例を示す図である。
【図６】看護師Ａさんの行先サーチ記録テーブルの一例を示す図である。
【図７】ナースステーションの表示端末を操作して、指定した医療者の居場所を明示す図である。
【図８】ナースステーションの行先表示エリアに表示される医療者表示のブロックをクリックしたときに、その医療者の詳細情報を表示する図である。
【図９】第２実施形態に係る看護師行先表示システムの構成を示すブロック図である。
【図１０】第２実施形態に係る無線通信媒体の内部構成を示す図である。
【図１１】第２実施形態の各携帯端末に表示される行先表示の一例を示す図である。
【図１２】第２実施形態の携帯端末から医療者テーブルへの登録・変更などを行う図である。
【発明を実施するための形態】
【００１３】
以下、図面を参照しながら本発明の実施形態を説明する。
【００１４】
（第１実施形態）
図１は、第１実施形態に係る医療者の行先表示システムの構成を示すブロック図である。
【００１５】
第１実施形態に係る医療者の行先表示システムでは、各種病院や医療センターに勤務する医師、看護師、その他のスタッフ（以下、医療者と称する）の行先表示対象者全員に、無線通信媒体を携行させることで実現する。各医療者の無線通信媒体は、病院や医療センター内の各病室、ナースステーション、通路、薬局、休憩所等に設けられた中継器（送信器）を経由して、病院情報システムの中枢であるホスト計算機に送信できるようになっている。
【００１６】
この無線通信媒体を用いることにより、病院や医療センター内のどこに居ても、各自の無線通信媒体と各中継器との間の自動通信機能により、居場所をホスト計算機が管理する。そして、無線通信媒体を携行する医療者の行先を病棟のナースステーション内の表示端末に表示するものである。これにより、管理者はナースステーションの当該表示端末を見ると、病棟内の行先管理エリア内に従事する各医療者の作業場所や移動先がリアルタイムで、一目で分かるようになる。以下の説明では、特に移動作業が多い看護師を例に説明する。
【００１７】
図１において、無線通信媒体１０は、病院や医療センターなどに従事する行先表示対象の全ての看護師（医療者）が携行する発信器である。各無線通信媒体１０ａ，１０ｂ，‥は、少なくとも当該媒体に予め設定された識別番号を発信する機能を有するものであればよい。
【００１８】
ホスト計算機２０は、病院情報システムの中枢となる計算機であり、通信部２１０、電子カルテデータベース（以下、ＤＢと称する）２２０やその他のＤＢ２３０等のデータ格納装置を有している。また、ホスト計算機２０には、電子カルテＤＢ２２０を操作するための電子カルテ作成・検索部２４０を有している。また、実施形態の医療者行先表示に係る機能部として、医療者テーブル２５０、病室レイアウトテーブル２６０と、行先検出表示部２７０、位置・動作検出部２８０、行先サーチ記録テーブル２９０等を有している。なお、医療者テーブル２５０、病室レイアウトテーブル２６０、および行先サーチ記録テーブル２９０は、ＤＢ２３０に格納しても良い。
【００１９】
中継器３０ａ，３０ｂ，３０ｃ，３０ｄ，‥は、ホスト計算機２０の通信部２１０と無線通信媒体１０ａ，１０ｂ，‥との間のデータ送信を無線通信によって行うものである。各中継器３０ａ，３０ｂ，３０ｃ，３０ｄ，‥は、病院内の各病室、ナースステーション、通路、薬局、休憩所等に取り付けられている。ホスト計算機２０の通信部２１０と中継器３０ａ，３０ｂ，３０ｃ，３０ｄ、‥との間は、無線通信又は有線通信によって接続されている。なお、中継器３０ａ，３０ｂ，３０ｃ，３０ｄ、‥は、送信機能又は送受信機能を有するもので構成する。
【００２０】
また、ナースステーション４００には、登録した看護師の行先を表示する表示端末４１０が設けられ、ホスト計算機２０と有線又は無線で接続されている。この他、ホスト計算機２０には、病院内の医療者によって操作される多数のＰＣ、所定数のプリンタなどが接続されるが、煩雑のため図１では省略している。なお、ホスト計算機２０は、電子カルテＤＢ２２０から電子カルテを読み出し、作業者の端末などに表示することが可能であるが、電子カルテの係る内容は本実施形態と直接関係しないので、その説明は省略する。
【００２１】
図２は、無線通信媒体１０が取り付けられる各種用具の一例を示す図である。
【００２２】
図２（ａ）は、例えば、医療者の名札に無線通信媒体１０ｇを埋め込んだ例を示すものである。また、図２（ｂ）は、携帯用ペンライトやボールペンなどに無線通信媒体１０ｈを埋め込んだ例を示すものである。また、図２（ｃ）は、女性の髪留めピンやナースキャップの留めピンなどに無線通信媒体１０ｋを埋め込んだ例を示すものである。各無線通信媒体１０には、発信のＯＮ／ＯＦＦを設定するスイッチを設けてもよい。
【００２３】
各無線通信媒体１０ａ，１０ｂ，１０ｇ，１０ｈ，１０ｋ‥は、一定間隔毎（例えば、５〜２０秒毎）に、内部に予め登録された識別番号（医療者毎に登録された識別番号）を近接する中継器３０に向けて送信する。すると、各中継器（例えば、図１の中継器３０ａ，３０ｂ，３０ｃ，３０ｄ‥）は、受信した電波信号の情報、無線通信媒体の識別番号、並びに自装置の中継器番号などの情報を、通信部２１０を経由してホスト計算機２０に送信する。
【００２４】
図３は、管理者によって行先を管理する行先表示エリアと、そのエリア内の病棟内通路および病室内に設置される中継器３０ａ，３０ｂ，３０ｃ，３０ｄ，‥の配置図の一例を示す。図３中、黒の三角印が中継器３０ａ，３０ｂ，３０ｃ，３０ｄ，‥の設置場所を示している。大きい部屋では、例えば６０１号室に示すように、部屋の４隅に中継器が設置されている。また、小さい部屋では、例えば６０３号室に示すように、部屋の３箇所に中継器が設置されている。また、ナースステーション４００にも、その出入口と室内に中継器が設置されている。
【００２５】
図４は、ホスト計算機２０の医療者テーブル２５０に格納される医療者データの一例を示す図である。ここでも、看護師の登録例を示している。
【００２６】
医療者テーブル２５０は、「媒体Ｎｏ．」「使用者」「チーム名」「役割」「Ｐｈｏｎｅ」「非表示設定」などの各項目が予め設定登録されている。医療者テーブル２５０への医療者データの登録・変更・削除は、例えば表示端末４１０から行うことができる。
【００２７】
「媒体Ｎｏ．」は、各看護師が所有する無線通信媒体の識別番号を示す。「使用者」は、各看護師の名前を示す。「チーム名」は、各看護師が所属するチーム名を示す。「役割」は、各看護師の担当職を示す。「Ｐｈｏｎｅ」は、各看護師が携帯する電話機の電話番号を示す。「非表示設定」は、表示端末４１０への行先表示を表示／非表示に設定する。
【００２８】
例えば、１行目には、看護師Ａさんの情報として、端末Ｎｏ．「ＭＢ００１」、チーム名「Ａ」、役職「リーダ」、電話番号「７７２５」が設定登録されていることを示している。
【００２９】
次に、第１実施形態の動作について説明する。
【００３０】
ナースステーション４００の表示端末４１０から、行先表示アプリケーションを起動すると、ホスト計算機２０は、一定時間毎に通信部２１０から送信されてくる各医療者の無線通信媒体１０ａ，１０ｂ，‥からの発信情報を受信する。ホスト計算機２０は、受信した情報を基に、図５に示すように各医療者（この例では看護師）の行先表示を開始する。
【００３１】
ホスト計算機２０の位置・動作検出部２８０は、各看護師の無線通信媒体１０ａ，１０ｂ，‥からの発信に基づき、各中継器３０ａ，３０ｂ，３０ｃ，３０ｄ，‥から送信される少なくとも各無線通信媒体に登録される識別番号、各中継器の中継器番号、および受信時の電波の強度を示す電波信号を受信すると、その電波信号から各看護師の位置を計算する。
【００３２】
例えば、病室６０１号室で作業している看護師の無線通信媒体から発信された信号は、６０１号室の４隅に設置されている４つの中継器により受信され、それぞれの中継器から送信された上記した情報は、ホスト計算機２０の位置・動作検出部２８０に送信される。位置・動作検出部２８０は、受信した４点の中継器からの電波信号から６０１号室内の看護師の作業位置を算出する。また、位置・動作検出部２８０は前記位置算出動作を、無線通信媒体からの発信に基づき一定時間毎に繰り返し実行することで、当該看護師の動作や方位を判断する。
【００３３】
例えば、各受信信号の強さから４点の中継器と無線通信媒体との距離を求め、その４点の距離が集結するだいたいの場所を位置情報として求める。従って、この方法では少なくとも三角形の３点の中継器が必要となる。また、例えば、直前に算出した位置情報と５秒後の位置情報が略同一であれば、当該看護師は当該位置に停留して患者に対する看護作業を継続していることが分かる。また、直前に算出した位置情報と５秒後の位置情報とを結べば方向・方位が分かる。このようにして位置・動作検出部２８０は、直前に算出した位置情報をリアルタイムに比較することで、当該無線通信媒体を所有している看護師の停留／移動、移動方向を判断する。病棟内の各通路に設置される中継器からも同様な信号が位置・動作検出部２８０に送信されており、通路上の看護師の位置・動作も同様に算出される。
【００３４】
例えば、病室６０４号室では、三角形の３点の中継器により受信され、それぞれの中継器から送信された上記した情報は、ホスト計算機２０の位置・動作検出部２８０に送信され、同様に看護師の位置・動作も同様に算出される。そして、位置・動作検出部２８０は、算出した位置情報、動作情報、移動方向を示す情報、並びに受信した媒体識別番号、中継器番号を行先検出表示部２７０に渡す。
【００３５】
ここでは、ホスト計算機２０の位置・動作検出部２８０によって位置情報を算出するとしたが、各看護師が立ち寄る作業場所や各拠点における各中継器の電波受信状態を予めテーブル等に登録し、これと現在受信した各中継器からの信号とを比較することで位置情報を求めるようにしても良い。本実施形態では、正確な位置情報を必要としないため、できるだけ簡易な検出方法を採用することが望ましい。
【００３６】
行先検出表示部２７０は、それらを基に行先表示情報を作成する。先ず、行先検出表示部２７０は、医療者テーブル２５０を参照して受信した各無線通信媒体１０ａ，１０ｂ，‥の媒体識別番号から対応する看護師をそれぞれ特定する。また、受信した中継器３０ａ，３０ｂ，３０ｃ，３０ｄ，‥の中継器番号から各看護師が位置する場所を特定する。更に、移動方向と動作を示す情報から、進行方向と動作を特定する。その結果、行先検出表示部２７０は、ナースステーション４００の表示端末４１０に対し、例えば図５に示す行先表示を行う。
【００３７】
図５では、管理者によって行先を管理する行先表示エリア中に五角形の図形で示すブロック（マーク）が、各看護師の行先を表示している。各看護師の特定する情報は、媒体Ｎｏ．（図５以降では、下３桁のみを示す）で表示している。そして、五角形の三角形で示す方向が移動方向（方位）を示している。図５の例では、看護師Ａさん（媒体Ｎｏ．００１）が病室６０１で作業中（停留中）である。看護師Ｂさん（媒体Ｎｏ．００２）が病室６０３で作業中（停留中）である。看護師Ｆさん（媒体Ｎｏ．００６）が病室６１１で作業中（停留中）である。看護師Ｃさん（媒体Ｎｏ．００３）が病室６１３で作業中（停留中）である。また、看護師Ｄさん（媒体Ｎｏ．００４）、看護師Ｅさん（端末Ｎｏ．００５）、看護師Ｇさん（媒体Ｎｏ．００７）が病棟内通路を移動中である。このようにして、ホスト計算機２０からナースステーション４００の表示端末４１０の画面に、５秒〜２０秒単位で行先表示を行う（更新表示する）ことで、管理者やグループリーダは看護師（医療者）の行動状態や作業場所が一目で知ることができる。
【００３８】
例えば、図５の五角形の各ブロック（マーク）を医療者テーブル２５０に登録した「チーム名」毎に色分けして表示しても良い。「チーム名」毎に色分けすることで、同じ病棟内のそれぞれのチームリーダ（管理者）は、チーム内のメンバーの居場所を一目へ掌握することができる。なお、行先検出表示部２７０は、医療者テーブル２５０で「非表示設定」した医療者（看護師）については、その行先表示を中止する。
【００３９】
図６は、例えば、看護師Ａさんの行先サーチ記録テーブル２９０を示したものである。行先検出表示部２７０は、行先サーチ記録テーブル２９０に登録した各看護師の看護作業中の停留時間を監視する目的で、随時行先サーチ結果を記録するものである。なお、ここでは行先サーチ記録テーブル２９０への記録は、１分単位毎としたが、記録単位は任意に設定することができる。
【００４０】
行先検出表示部２７０は、例えば図６に示すように、看護師Ａが病室６０１号室の患者Ｐさんのベッド付近で、Ｐさんに対する看護作業中であることを同室の中継器の中継器番号からの情報で特定すると、当該看護師Ａの停留時間（同じ患者Ｐさんに対する作業時間、つまり同じベッドでの作業時間）の計数を開始する。この場合、一箇所ではなく、同じベッド周辺での作業を想定して位置を特定する。そして、その計数した時間を行先サーチ記録テーブル２９０の「停留時間」に記録する。その結果、「停留時間」が、例えば１０分以内であれば、表示端末４１０には通常の表示形態で表示される。
【００４１】
一方、行先検出表示部２７０は、行先サーチ記録テーブル２９０を参照して、同じ患者Ｐさんに対する「停留時間」が、例えば１０分を超えると表示端末４１０の看護師Ａさんの行先表示を注意表示（例えば、注意を促す黄色表示）に切り換える。更に「停留時間」が、２０分を越えると表示端末４１０の看護師Ａさんの行先表示を異常表示（例えば、異常を促す赤色表示）に切り換える。その結果、同じ患者に対する「停留時間」が１０分を超えると、例えば図５の看護師Ａさん（媒体Ｎｏ．００１）のブロックように注意表示（黄色表示‥図５では縦横の網掛け表示）５００が行われる。更に、同じ患者に対する「停留時間」が２０分を超えると、例えば図５の看護師Ｈさん（媒体Ｎｏ．００８）のように異常表示（赤色表示‥図５では縦横の細かい網掛け表示）５１０が行われる。
【００４２】
管理者は、表示端末４１０の表示内容から行先表示だけでなく、「停留時間」の状態御が一目で分かるようになる。例えば、「停留時間」が２０分以上になると言うことは、看護作業がスムーズに行われていないことが予想できる。そこで、管理者は、そのような異常表示があったならば、直ちに近くの看護師又はナースステーション内の看護師に支援連絡を行い、状況確認又は作業支援を指示する。これにより、患者に対する看護作業が一層充実したものとなり、全ての患者は安心して治療を受けることができる。
【００４３】
更に、行先サーチ記録テーブル２９０に示した患者Ｐさんへの作業開始時間と終了時間などを集約した履歴データを生成してＤＢ２３０を蓄積記録することによって、患者Ｐさんに対する看護時間を詳細に把握することができる。このような処理動作を全ての入院患者に実施することで、管理者は看護負荷状態を詳細に把握することができようになる。その結果、タイムリーに看護師を適正配置することができる。また、必要に応じて、患者への費用請求資料として利用することができる。更にまた、看護師の能力評価にも利用することができる。
【００４４】
次に、図７は特定の看護師の所在を直ちに検出できる仕組みを説明するものである。図７に示すように、看護師Ｄさん（媒体Ｎｏ．００４）と大至急連絡を取りたい事象が発生した場合に、表示端末４１０の画面から看護師Ｄさん（媒体Ｎｏ．００４）を特定する領域をタッチ指示（又はクリック）すると、行先検出表示部２７０によってその居場所（病室６０２号室）に星型のマーク表示５３０とする。なお、マーク表示５３０に代えて、点滅表示のように目立つ表示でも良い。これにより、看護師Ｄさんを直ちに見つけ出すことができる。そして、近くの通路を移動中の看護師Ｇさん（媒体Ｎｏ．００７）電話連絡を取り、病室６０２号室に居る看護師Ｄさんをナースステーション４００に呼び戻すことの連絡と共に、看護師Ｄさんに代わっての作業依頼を行うことができる。このように、看護作業中の看護師Ｄさんに対し、患者に不安を与えることなく、引継ぎと連絡を通知することができる。
【００４５】
次に、図８は、表示端末４１０に表示される行先表示エリアに指定の看護師の詳細を把握するための仕組みを説明する図である。表示端末４１０の画面上に多くの情報を表示すると、かえって見難い。そのため、図５に示すようなブロック表示を採用している。ここで例えば、図８に示すように、病室６１２号室の患者から呼び出しを受けた場合に、管理者は、表示端末４１０の画面から、病室６１２号室の近くを移動中の識別番号「００５」を発見することができる。そして、管理者は、識別番号「００５」に電話連絡したい場合、表示端末４１０の識別番号「００５」の五角形ブロックをタッチ（又はクリック）すると、行先検出表示部２７０によって医療者テーブル２５０に登録されている看護師Ｅさんとその電話場号「３３００」などの詳細情報が表示端末４１０に表示される。これにより、管理者は、直ちに看護師Ｅさんとの連絡を取り、病室６１２号室の患者に応対を依頼することができる。管理者は、識別番号「００５」が誰かを理解して、携帯電話機などからその看護師Ｅさんの連絡先を探すより、効率よく作業することができる。
【００４６】
このように、実施形態によれば、予め定められた病棟内のレイアウトの中継器で受信した受信信号から算出した所在位置に、予め登録された医療者テーブルを参照して得られる識別番号に対応する医療者を示すように、少なくとも方位を示す行先表示情報を作成して表示端末に表示する行先検出表示手段を得ることができる。そして、病棟の管理者（あるいはスタッフ）は、行先表示エリア内における業務状況が把握でき、的確に目的の看護師職員にアクセスできる。また、近くのスタッフの存在が分かれば、業務支援のＨＥＬＰを依頼する事ができ、医療事故の撲滅に繋がる。また、同一場所に留まっている時間（１０分、２０分、３０分）に応じて色変えすることによって、何かのトラブルに巻き込まれている可能性を予測することができる。
【００４７】
（第２実施形態）
次に、第２実施形態について説明する。
【００４８】
図９は、第２実施形態に係る医療者の行先表示システムの構成を示すブロック図である。第２実施形態では、図１の無線通信媒体１０ａ，１０ｂ，‥に代えて、携帯端末１０ａａ，１０ｂｂ，‥を用いている。携帯端末１０ａａ，１０ｂｂ，‥は、病院内で従事する行先表示対象者が１台ずつ携行する端末である。各携帯端末１０ａａ，１０ｂｂ，‥は、スマートフォンや携帯電話機などを用いて構成することができる。即ち、携帯端末１０ａａ，１０ｂｂ，‥は、スマートフォンのように携帯性が良く、指先で画面を操作することで、簡単に情報閲覧が可能な端末が望ましい。各携帯端末１０ａａ，１０ｂｂ，‥は、第１実施形態と同様に固有の識別番号で管理されている。この場合、医療者テーブル２５０の媒体Ｎｏ．に代えて機器Ｎｏ．が登録される。
【００４９】
また、図１の中継器３０ａ，３０ｂ，３０ｃ，３０ｄ，‥に代えて、送受信器（双方向の中継器）３０ａａ，３０ｂｂ，３０ｃｃ，３０ｄｄ，‥を用いている。これにより、携帯端末１０ａａ，１０ｂｂ，‥と送受信器３０ａａ，３０ｂｂ，３０ｃｃ，３０ｄｄ，‥との間で、つまりホスト計算機２０との間で双方向無線通信を行うことができる。
【００５０】
図１０は、各携帯端末１０ａａ，１０ｂｂ，‥の内部構成を示す図である。各携帯端末１０ａａ，１０ｂｂ，‥は、制御部１１０、無線通信部１０３、方位センサ１０５、動作センサ１０７、ＧＰＳ測位部１５０、入力部１５５、出力部１５７、電源（図示せず）などを有している。方位センサ１０５は、携帯端末を所有する看護師（医療者）の移動方向を示す情報を作成する。動作センサ１０７は、携帯端末を所有する看護師（医療者）の歩行（移動）又は停留などの動作を示す情報を作成する。ＧＰＳ測位部１５０は、周知のＧＰＳ機能により特定された位置情報を制御部１０１に出力する。入力部１５５は、表示面上に形成されたタブレット機能によりデータや指令をタッチ入力する。表示部１５７は、例えばカラーＬＥＤなどの表示画面を有している。これらは、制御部１０１で制御されている。
【００５１】
制御部１０１は、一定時間毎（例えば、５秒〜２０秒毎）に、内部に保持する携帯端末の識別番号、ＧＰＳ測定部１５０からの位置情報、方位センサからの移動方向を示す情報、並びに動作センサ１０７からの歩行（移動）又は停留などの動作を示す情報を、無線通信部１０３に出力する。無線通信部１０３は、制御部１０１からの前記情報を近接する中継器に向けて送信する。中継器は、受信した情報に自装置の発信器番号を付与した情報を、通信部２１０を経由してホスト計算機２０に送信する。なお、第２実施形態では、各携帯端末１０ａａ，１０ｂｂ，‥から位置情報が出力されるので、ホスト計算機２０側で位置の計算を必要としない。そのため、各送受信器３０ａａ，３０ｂｂ，３０ｃｃ，‥は、各病室に少なくとも１個設置すれば良い。
【００５２】
次に、第２実施形態の動作を説明する。
【００５３】
第２実施形態では、各看護師が携帯する各携帯端末１０ａａ，１０ｂｂ，‥の無線通信部１０３は、位置情報、方位情報および動作情報に端末識別番号を付与した無線送信情報を所定間隔毎に近接する送受信器３０ａａ，３０ｂｂ，３０ｃｃ，３０ｄｄ，‥に自動送信する。病棟の各病室および通路などに必要数設置される送受信器３０ａａ，３０ｂｂ，３０ｃｃ，３０ｄｄ，‥は、前記無線送信情報を通信部２１０を経由してホスト計算機２０に送信する。
【００５４】
ホスト計算機２０の行先検出表示部２７０は、受信した端末識別番号から医療者テーブル２５０を参照して看護師を認識する情報を取得すると共に、受信した位置情報から病室レイアウト２６０を参照して行先表示情報を作成する。そして、行先検出表示部２７０は、第１実施形態と同様にナースステーション４００の表示端末４１０に図５に示す形態で行先表示を行う。また、図６乃至図８で説明した機能も同様に実現することができるが、その説明は省略する。
【００５５】
そして、第２実施形態では、ホスト計算機２０の行先検出表示部２７０によって作成された、各医療者の位置と方向又は動作を示す行先表示情報を無線通信部１０３を経由して受信し、出力部１５７の画面に行先表示する。
【００５６】
図１１は、各携帯端末１０ａａ，１０ｂｂ，‥の表示部１５７に表示される行先表示の一例を示す図である。各携帯端末１０ａａ，１０ｂｂ，‥を所有する看護師（医療者）は、自端末から行先表示のアプリケーションを起動すると、ホスト計算機２０の行先検出表示部２７０から送受信器３０ａａ，３０ｂｂ，３０ｃｃ，３０ｄｄ，‥を経由して送信される行先表示情報に基づいて、図１１に示すような行先表示を自端末の表示部１５７に表示することができる。
【００５７】
したがって、各携帯端末１０ａａ，１０ｂｂ，‥には、表示端末４１０と同様に、以下の表示機能を有している。
【００５８】
・行先表示ブロック（マーク）は、所在と移動方向を示す。
【００５９】
・行先表示ブロック（マーク）の色は、チームと役割の組合せで決定できる。
【００６０】
・行先表示ブロック（マーク）の色は、携帯端末の一覧と一致させる事が可能。
【００６１】
・行先表示ブロック（マーク）にマウスを当てると、該当者の詳細が表示される。
【００６２】
・行先表示ブロック（マーク）を表示しないエリア（ナースステーションなど）も指定可能。
【００６３】
・行先表示ブロック（マーク）は、表示／非表示の切り替えが可能、非表示のまま一定時間が経過すると自動で表示される。
【００６４】
・患者（ベッド）単位に、看護師の停留時間を履歴として蓄積することで、看護師の業務量調査に利用することができる。
【００６５】
ここで、例えば、看護師Ｆさん（端末Ｎｏ．００６）が、病室６１１の担当する患者に対し人手のいる作業を行っている場合、自端末の行先表示画面から看護師Ｇさん（端末Ｎｏ．００７）が接近していることを確認することができ、看護師Ｇさんに作業協力をお願いすることができる。このように、医療者が携行する携帯端末に、表示端末４１０と同様の行先表示機能を搭載することにより、医療者のような特殊な作業を行う業種の人たちの作業効率が良くなるばかりか、患者に対するケアを的確に実施することができる。
【００６６】
図１２は、携帯端末から医療者テーブル２５０の登録内容を変更する場合の表示例を示す。携帯端末の所有する医療者は、自端末の行先表示変更のアプリケーションを起動すると、ホスト計算機２０の行先検出表示部２７０から、図１２の上側に示すような使用者情報が表示される。その下側には、変更したい使用者情報の入力エリアがあり、そこに変更内容を入力部１５５から入力し、登録すると医療者テーブル２５０の内容を更新することができる。これにより、医療者テーブル２５０に対し医療者の登録・変更・削除などの処理を簡単に実施することができる。
【００６７】
この他に携帯端末に病床マップ表示機能と、行先表示機能の両方を持たせると、更に利便性のより端末が提供できる。この場合、病床マップ表示機能は、各病室内に入院されている患者情報をホスト計算機２０から取得して表示するものである。これにより、看護師はナースステーションに立ち戻ることなく、各病室の患者情報を確認できる。一方、行先表示機能は、上述したように、各携帯端末と各送受信器との交信をホスト計算機２０が管理し、携帯端末を携行する医療者の行先を自端末に表示するものである。これにより、看護師の作業性が一段と向上する。
【００６８】
従って、第２実施形態によれば、予め定められた病棟内のレイアウトの位置情報に応じた所在位置に、予め登録された医療者テーブルを参照して得られる識別番号に対応する医療者を示すように、少なくとも方位情報を含む行先表示情報を作成して携帯端末および表示端末に表示する行先検出表示手段を得ることができる。そして、第１実施形態の効果のみならず、携帯端末に表示端末４１０と同様な行先表示や病床マップの表示を行うことができるので、看護師はナースステーションに立ち戻っての確認作業が削減できるので、作業性が向上する。
【００６９】
なお、第２実施形態では、位置情報をＧＰＳ測位部１５０からの出力又は、ＧＰＳ測位部１５０からの出力と送受信器３０ａａ，３０ｂｂ，３０ｃｃ，３０ｄｄ，‥の位置情報とを併せて使用して得るようにしても良い。
【００７０】
（第３実施形態）
第１実施形態と第２実施形態の中間的な構成とする第３実施形態について説明する。
【００７１】
第３実施形態では、各医療者に携行され、少なくとも方位情報を送信する識別番号で管理されている無線通信媒体と、少なくとも通路や各病室内のベッド毎に設置された中継器によって、無線通信媒体からの情報を所定間隔毎に受信して、所在位置となる中継器番号を付加した情報をホスト計算機に送信する中継手段と、行先表示画面をリアルタイム表示する表示端末とを有する。そして、ホスト計算機には、予め定められた病棟内のレイアウトの中継器番号に応じた所在位置に、予め登録された医療者テーブルを参照して得られる識別番号に対応する医療者を示すように、少なくとも方位を示す行先表示情報を作成して表示端末に表示する行先検出表示手段が設けられる構成とする。
【００７２】
この第３実施形態では、各無線通信媒体には、少なくとも方位情報を送信する機能を持たせている。また、行先表示エリア内の医療者の位置情報は、各病室内のベッド毎に設置される中継器の位置によって特定する。また、行先表示エリア内の病室以外の場所では、通路などの所定位置に設置された中継器に近づいた時を捕らえて行先表示する。医療者の移動／停止の動作は、所定間隔毎に送信される無線通信媒体からの情報をリアルタイムに比較することでホスト計算機により算出する。このようにすれば、行先検出表示部は、ナースステーションの表示端末に対し、図５に示す行先表示を行うことができる。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれるとともに、特許請求の範囲に記載された発明とその均等の範囲に含まれる。
【符号の説明】
【００７４】
１０ａ，１０ｂ，‥無線通信媒体、１０ａａ，１０ｂｂ，‥携帯端末、１０１‥制御部、１０３‥無線通信部、１０５‥方位センサ、１０７‥動作センサ、１５０‥ＧＰＳ測位部、１５５‥入力部、１５７‥出力部、２０‥ホスト計算機、２１０‥通信部、２２０‥電子カルテＤＢ、２３０‥その他のＤＢ、２４０‥カルテ作成・検索部、２５０‥医療者テーブル、２６０‥病室レイアウトテーブル、２７０‥行先検出表示部、３０ａ，３０ｂ，３０ｃ，３０ｄ‥中継器、３０ａａ，３０ｂｂ，３０ｃｃ，３０ｄｄ‥送受信器（双方向中継器）、４００‥ナースステーション、４１０‥表示端末
【図１】
2015026882.tif 000003
【図２】
2015026882.tif 000004
【図３】
2015026882.tif 000005
【図４】
2015026882.tif 000006
【図５】
2015026882.tif 000007
【図６】
2015026882.tif 000008
【図７】
2015026882.tif 000009
【図８】
2015026882.tif 000010
【図９】
2015026882.tif 000011
【図１０】
2015026882.tif 000012
【図１１】
2015026882.tif 000013
【図１２】
2015026882.tif 000014